(57)【要約】【課題】組み込み式加熱調理器のキャビネットへの固定にあたって、締結手段を締め付けるだけの簡単な施工で本体を固定できるようにすること。【解決手段】本体外郭の側面下方よりに設けた切欠き部１２と、切欠き部側面部１２ａに設けた穴Ａ１５と、この穴Ａ１５に回動自在に係合されかつ切欠き部１２内に収納された固定金具１３と、固定金具１３を固定する締結手段１９とを備え、本体を取り付けるにあたって、本体をキャビネット２１に取り付けた後、締結手段１９により固定金具１３を回動させることにより固定する構成とした。【選択図】図３
2005226854.tif 000002
【特許請求の範囲】
【請求項１】
本体を構成する外郭と、前記外郭側面下方よりに設けた切欠き部と前記切欠き部の側面に設けた係合手段と、前記係合手段に回動自在に係合されかつ前記切欠き部内に収納された固定金具と、固定金具を固定する締結手段とを備え、前記本体を取り付けるにあたって、前記本体を組み込み体に取り付けた後、前記締結手段により前記固定金具を回動させる構成とした組み込み式加熱調理器。
【請求項２】
固定金具は上面の長さが下面の長さより長くした略コの字形状とし、前記上面の先端部は切欠き部の側面に設けた係合手段に係合する構成とした組み込み式加熱調理器。
【請求項３】
略コの字形状の固定金具の下面は側面と鋭角の関係を有する構成とした請求項２記載の組み込み式加熱調理器。
【請求項４】
略コの字形状の固定金具の上面は側面と鈍角の関係を有する構成とした請求項２記載の組み込み式加熱調理器。
【請求項５】
係合手段は切欠き部に設けた穴から成る構成とした請求項１〜４のいずれか１項に記載の組み込み式加熱調理器。
【請求項６】
略コの字形状の固定金具の下面の先端部は切欠き部に設けられた穴に挿入する構成とした請求項３〜５のいずれか１項に記載の組み込み式加熱調理器。
【請求項７】
固定金具の側面に弾性体を設ける構成とした請求項２〜６のいずれか１項に記載の組み込み式加熱調理器。
【請求項８】
固定金具は略くの字形状で下方の先端部は、切欠き部の係合手段に係合する構成とした請求項１記載の組み込み式加熱調理器。
【請求項９】
係合手段は締結方向に設けた長穴からなり、前記長穴には固定金具の下方の先端部が係合され、締結手段により前記固定金具が上下に摺動する構成とした請求項１記載の組み込み式加熱調理器。
【請求項１０】
切欠き部には、上下に複数の係合手段を設ける構成とした請求項１〜９のいずれか１項に記載の組み込み式加熱調理器。
【請求項１１】
少なくとも固定金具は、外郭の対辺に一対設ける構成とした請求項１〜１０のいずれか１項に記載の組み込み式加熱調理器。
【発明の詳細な説明】
【技術分野】
【０００１】
本発明は、組み込み式加熱調理器のキャビネットへの固定方法に関するものである。
【背景技術】
【０００２】
従来、この種の前方や上面から固定することのできない組み込み式加熱調理器の固定方法の構成としては、例えば、固定金具がない状態でキャビネットに設置し、後からキャビネットの下に潜り込んで固定金具を取り付け、ねじを締結して本体を固定する方法や、また本体を設置する前に固定金具を仮固定してからキャビネットに設置し、キャビネットの下に潜り込み仮固定していた固定金具を引き出して、固定するというものがあった（例えば、特許文献１参照）。
【０００３】
図１３、１４は特許文献１に記載された従来の固定方法を示すものである。図１３、１４において、本体を構成している外郭１の側面部に切欠き部２が設けられている。そして、切欠き部２には設置業者がセットする固定金具３と締結手段であるねじ４が取り付けられる構成となっており、ねじ４のねじ頭で固定金具の穴５を介して、キャビネット６に仮固定されていた。
【特許文献１】特開２０００−２０５５７５号公報
【発明の開示】
【発明が解決しようとする課題】
【０００４】
しかしながら、前記従来の構成では、本体をキャビネットに設置してから固定金具を取り付けて固定するとか、またキャビネットに設置する前に固定金具を仮固定するとか、いずれにせよ設置業者が固定金具を本体に取り付ける必要があるために、施工するのに時間がかかったり、固定金具をなくしたり、また固定し忘れるという問題点を有していた。さらに、固定金具を仮固定してキャビネットに設置し、固定する作業においてもキャビネットの下という狭い中でねじを一度緩めて仮固定を一度解き、固定金具をキャビネットに固定できる位置まで引き出し、そしてねじで締結して固定していくというように、施工に手間がかかり施工性が悪いという問題点を有していた。
【０００５】
本発明は、上記従来の課題を解決するもので、固定金具を予め外郭側面部の切欠き部内に収納、仮固定しておき、締結手段を締め付けるだけでキャビネットへの設置ができる施工性の優れた機器を提供することを目的とする。
【課題を解決するための手段】
【０００６】
前記従来の課題を解決するために、本発明の組み込み式加熱調理器は、本体を構成する外郭と、前記外郭側面下方よりに設けた切欠き部と前記切欠き部の側面に設けた係合手段と、前記係合手段に回動自在に係合されかつ前記切欠き部内に収納された固定金具と、固定金具を固定する締結手段とを備え、前記本体を取り付けるにあたって、前記本体を組み込み体に取り付けた後、前記締結手段により前記固定金具を回動させる構成とした。この構成により、設置業者は本体をキャビネットに組み込んだ後、締結手段の締結を緩め固定金具の一端を自由端とし、再度締結手段を締結することにより、あるいは、締結手段の締結のみにより、固定金具を係合手段を支点として回動させ、本体をキャビネットに固定することができる。
【発明の効果】
【０００７】
本発明の組み込み式加熱調理器は、本体をキャビネットに設置後、締結手段を締め付けるだけの簡単な施工だけで本体をキャビネットに固定できる。
【発明を実施するための最良の形態】
【０００８】
第１の発明は、本体を構成する外郭と、前記外郭側面下方よりに設けた切欠き部と前記切欠き部の側面に設けた係合手段と、前記係合手段に回動自在に係合されかつ前記切欠き部内に収納された固定金具と、固定金具を固定する締結手段とを備え、前記本体を取り付けるにあたって、前記本体を組み込み体に取り付けた後、前記締結手段により前記固定金具を回動させる構成とした。この構成により、設置業者が本体に固定金具を装着する作業がなく、締結手段の操作で容易に固定できる施工性の優れたものにすることができる。
【０００９】
第２の発明は、特に第１の発明の固定金具を上面の長さが下面の長さより長くした略コの字形状とし、前記上面の先端部は切欠き部の側面に設けた係合手段に係合する構成とした。この構成により締結手段を緩めたとき、下面の先端部が容易に自由となり、再度、締結手段を締結するとき回動しやすくなる。
【００１０】
第３の発明は、特に第２の発明の固定金具の下面を側面と鋭角の関係を有する構成としたことにより、本体設置後、締結手段を締め付けるだけで本体をキャビネットに固定することができる施工性の優れた機器を提供することができる。
【００１１】
第４の発明は、特に第２の発明の固定金具の上面を側面と鈍角の関係を有する構成としたことにより、本体設置後、締結手段を締め付けるだけで本体をキャビネットに固定することができ、かつより厚みの薄いキャビネットにも固定できる施工性が優れ、フレキシブルに対応できるようにすることができる。
【００１２】
第５の発明は、特に第１〜４の発明のいずれか１つの発明の係合手段は切欠き部に設けた穴から成る構成としたことにより、簡単な構成で固定金具を切欠き部に係合させることができる。
【００１３】
第６の発明は、特に第３〜５の発明のいずれか１つの発明の固定金具の下面の先端部は切欠き部に設けられた穴に挿入する構成としたことにより、簡単な構成で容易に締結手段を緩めたとき先端部を自由な状態にすることができる。
【００１４】
第７の発明は、特に第２〜６の発明のいずれか１つの発明の固定金具の側面に弾性体を設ける構成としたことにより、本体を確実にキャビネットに固定し、かつ傷つけることのない施工性が良いものにすることができる。
【００１５】
第８の発明は、特に第１の発明の固定金具を、略くの字形状で下方の先端部は、切欠き部の係合手段に係合する構成とすることで、設置業者が本体に固定金具を装着する作業がなく、また容易に、確実に本体を固定できる施工性の優れたものにすることができる。
【００１６】
第９の発明は、特に第１の発明の係合手段は締結方向に設けた長穴からなり、前記長穴には固定金具の下方の先端部が係合され、締結手段により前記固定金具が上下に摺動する構成としたことにより、設置業者が本体に固定金具を装着する作業がなく、またキャビネットの厚みが薄いものから厚いものまで幅広く対応できる施工性が優れ、フレキシブルに対応できるようにすることができる。
【００１７】
第１０の発明は、特に第１〜９の発明のいずれか１つの発明の切欠き部には、上下に複数の係合手段を設ける構成としたことにより、設置業者が本体に固定金具を装着する作業がなく、またキャビネットの厚みが薄いものから厚いものまで幅広く対応でき、かつ確実に固定できる施工性が優れ、フレキシブルに対応できるようにすることができる。
【００１８】
第１１の発明は、特に第１〜１０の発明のいずれか１つの発明の構成において、少なくとも固定金具は、外郭の対辺に一対設ける構成とした、設置業者が本体に固定金具を装着する作業がなく、容易に固定でき、またバランスよく本体を固定できる施工性と信頼性の優れたものにすることができる。
【００１９】
以下、本発明の実施の形態について、図面を参照しながら説明する。なお、本実施の形態によって本発明が限定されるものではない。
【００２０】
（実施の形態１）
図１は、本発明の第１の実施の形態における組み込み式加熱調理器の斜視図、図２は同組み込み式加熱調理器の要部斜視図であり、図３（ａ）は同組み込み式加熱調理器の組み込み前の要部断面図（ｂ）は同組み込み式加熱調理器の組み込み後の要部断面図である。
【００２１】
図１〜３において、本体を構成している外郭１１の側面下方よりに凹部形状の切欠き部１２が設けられている。したがって、切欠き部１２の３方の側面および上面は外郭の一部から構成され、他の面、すなわち、１つの側面と下方側は開放された状態となっている。そして、切欠き部１２の中に固定金具１３が予め収納されている。この固定金具の上方にある先端部Ａ１４は中央部が切り欠かれるとともに折り曲げ加工がなされ、切欠き部１２の側面１２ａに設けられた係合手段である穴Ａ１５に２ヶ所で係合され、容易にこの係合関係が解かれないようにしている。また、この構成では、穴Ａ１５と固定金具１３の接点を中心として回動できるようにしている。もう一方の下方にある先端部Ｂ１６は中央部が切り欠かれるとともに、穴Ｂ１７に一部のみ挿入されている。そして、先端部Ｂ１６の折り曲げ部の長さが先端部Ａ１４を有する折り曲げ部の長さより短くする事で、後述する手段により簡単に穴Ｂ１７から外れ自由に回動できるように構成されている。また固定金具１３は、切欠き部１２内の切欠き部上面部１２ｂに締結手段１９によって、固定金具１３を介して締結される。すなわち、固定金具１３の両先端部の切欠け部に締結手段１９を挿入し、締結手段１９を仲立ちとし、切欠き部上面部１２ｂと座２０により固定金具１３を狭着することで本体内に一時的に固定されている。
【００２２】
以上のように構成された組み込み式加熱調理器のについて、以下その動作、作用を説明する。
【００２３】
まず、前記構成において、本体をキャビネット２１に設置する場合について説明する。固定金具１３は本体に予め収納されているため、本体をそのまま、まず組み込み体であるキャビネット２１の穴に設置する。その後、本体のキャビネット２１への固定作業へ入る。このとき、固定金具１３は一時的に固定されているため、いったん締結手段１９を緩める。そうすると、先端部Ｂ１６は穴Ｂ１７から外れ自由な状態になる。この状態から締結手段１９を締結していくと、座２０が固定金具１３の面を上へ押し、かつ先端部Ａ１５は穴Ａ１６に係合されていることから、先端部Ａ１５の係合部を支点として回動していく。固定金具１３は、キャビネット２１の天板があるところまで、回動し本体はキャビネット２１に固定される。
【００２４】
以上のように、本実施の形態においては、設置業者が設置時に固定金具１３をわざわざ取り付ける必要なく、締結手段の緩めと締め付けだけで本体を固定することができるため、容易に本体を固定できる施工性の良い機器を提供することができる。
【００２５】
なお、本実施の形態では、締結手段をねじを用いた場合で記載しているが、いかなる締結手段でも同様の効果が得られるし、ねじの方法においても、切欠き部上面部１２ａに例えばナット１８を溶接するとか、また、切欠き部上面部１２ｂでねじが空回りするようその一部だけねじ山をなくし、座２０の代わりに、周り止めのついたナットを使うことで、締結するとナットだけが上昇し固定金具１３を押し上げて固定することができ、ねじ頭の高さの位置が変わらないという構成にもできる。こうすることで、常にねじ頭は同じ位置で下のほうにあるため、見やすくキャビネット２１の下という狭くて、作業しにくい時でも非常にやりやすくできる。
【００２６】
なお、本実施の形態では、係合手段として側面に穴を設けた場合につき説明したが、係合手段はこの構成に限定されるものではなく、本実施の形態の主旨にかなう構成であれば、他の構成であってもよい。
【００２７】
なお、本実施の形態では、固定金具の先端部に切欠きを入れ、その切欠きの両側にある先端部を夫々係合手段である穴に挿入する構成を示したが、本実施の形態の主旨にかなう機能を保持できるならば、例えば切欠きの片方の先端部を切り落とし、他の先端部だけを係合手段に係合するようにしても良い。
【００２８】
（実施の形態２）
図４（ａ）は本発明の第２の実施の形態における組み込み式加熱調理器の組み込み前の要部断面図（ｂ）は同組み込み式加熱調理器の組み込み後の要部断面図である。なお、本実施の形態の基本構成は実施の形態１と同じなので異なる点を中心に説明する。また、実施の形態１と同じ構成には同じ符号を付しその説明は省略する。本発明の第２の実施の形態における組み込み式加熱調理器の固定金具部の断面図を示すものである。
【００２９】
図４において、固定金具１３は略コの字形状で上面２２、側面２３、下面２４から構成されており、下面２４は側面２３と鋭角の関係であり、先端一部だけ穴Ｂ１７に挿入されている。固定金具１３は、締結手段１９を仲立ちとし、座２０が固定金具１３を押し上げ、かつ先端部Ｂ１６が穴Ｂ１７に挿入、押し上げられることで、一時的に固定されている。但し、下面２４と側面２３が鋭角の関係になることで、締結手段で押し上げても、固定金具１３は逃げずに、一時的に固定されている。
【００３０】
以上のように構成された組み込み式加熱調理器について、以下その動作、作用を説明する。
【００３１】
本体をキャビネット２１に固定することを考える。固定金具１３は一時的に固定されているが締結手段１９を締結していくと、固定金具１３上向きに大きな力が加わり、穴Ｂ１７から先端部Ｂ１６が外れようとする。ある荷重を超えると、先端部Ｂ１６は穴Ｂ１７から外れ自由となり、固定金具１３は先端部Ａ１４の係合部を支点に、回動し始める。そして、キャビネット２１の天板があるところまで、回動し本体はキャビネット２１に固定される。
【００３２】
以上のように、本実施の形態においては、設置業者の固定金具の取り付けや、またねじの緩めもなく、ただ締結手段１９を締め付けるだけで、本体をキャビネット２１に固定することができるので、容易に本体を固定できる施工性の良い機器を提供することができる。
【００３３】
なお、本実施の形態の場合、あるいは本実施の形態以降の場合において、固定金具を略コの字形状の上面、側面、および下面から構成する場合、実施の形態１と同様に下面の長さを上面の長さより短くした方が下面の先端部が穴から外れやすくなり好ましい。
【００３４】
（実施の形態３）
図５（ａ）は本発明の第３の実施の形態における組み込み式加熱調理器の組み込み前の要部断面図、図５（ｂ）は同組み込み式加熱調理器の組み込み後の要部断面図である。なお、本実施例の基本構成は実施例１と同じなので異なる点を中心に説明する。また、実施の形態１と同じ構成には同じ符号を付しその説明は省略する。
【００３５】
図５において、固定金具１３は略コの字形状で上面２２、側面２３、下面２４から構成されており、上面２２は側面２３と鈍角の関係である。固定金具１３は、締結手段１９を仲立ちとし、座２０が固定金具１３を押し上げ、かつ先端部Ｂ１６が穴Ｂ１７に挿入、押し上げられることで、一時的に固定されている。但し、下面２４と側面２３が鋭角の関係になることで、締結手段で押し上げても、固定金具１３は逃げずに、一時的に固定されている。
【００３６】
以上のように構成された組み込み式加熱調理器について、以下その動作、作用を説明する。
【００３７】
本体をキャビネット２１に固定する場合について説明する。固定金具１３は締結により回動していく。ところが、上面２２は側面２３と鈍角の関係であるため、キャビネット２１の厚みが薄く回動の角度が大きくなったとしても、切欠き部１２の面を逃げているため、更に回動することができる。つまり、更に薄いキャビネットに対しても、確実に固定することができる。具体的には、取り付ける位置にもよるが、一つの固定金具で５ｍｍ程度の薄さまで対応できる。
【００３８】
以上のように、本実施の形態においては、設置業者の固定金具の取り付けや、またねじの緩めもなく、ただ締結手段１９を締め付けるだけで、本体をキャビネット２１に固定することができるし、またキャビネット２１の厚みがより薄いものに対しても対応できる施工性が良く、フレキシブルに対応できる機器を提供することができる。
【００３９】
（実施の形態４）
図６（ａ）は本発明の第４の実施の形態における組み込み式加熱調理器の組み込み前の要部断面図、図６（ｂ）は同組み込み式加熱調理器の組み込み後の要部断面図である。
【００４０】
図６において、側面２４には、ゴムや発泡剤で構成された弾性体２５が取り付けられている。
【００４１】
以上のように構成された組み込み式加熱調理器について、以下その動作、作用を説明する。
【００４２】
本体をキャビネット２１に固定する場合について説明する。締結手段１９を締め付けると固定金具１３は締結により回動していく。そして、固定金具１３があるところまで回動すると本体はキャビネットに固定される。ところが、側面２４には弾性体２５が接着等で取り付けられているため、キャビネット２１への固定は摩擦係数が大きいため、しっかりと固定される。また、キャビネット２１へは、金属ではなく、弾性体２５が直接当たるため傷つけることなく設置できる。
【００４３】
以上のように、本実施の形態においては、設置業者の固定金具の取り付けや、またねじの緩めもなく、ただ締結手段１９を締め付けるだけで、本体をキャビネット２１に固定することができるし、またキャビネット２１に対して弾性体２５があたるので、より確実に固定され、かつ傷付を防止することができる施工性が良く、やさしい機器を提供することができる。
【００４４】
（実施の形態５）
図７（ａ）は本発明の第５の実施の形態における組み込み式加熱調理器の組み込み前の要部断面図、図７（ｂ）は同組み込み式加熱調理器の組み込み後の要部断面図である。なお、本実施の形態の基本構成は実施の形態１と同じなので異なる点を中心に説明する。また、実施の形態１と同じ構成には同じ符号を付しその説明は省略する。
【００４５】
図７において、本体を構成している外郭１１の側面部に切欠き部１２が設けられ、切欠き部１２の中に固定金具１３が予め収納されている。固定金具は略くの字形状で先端部Ｂ１６は折り曲げ加工がなされ、切欠き部１２内に設けられた係合手段として用いる穴Ｂ１７に２ヶ所各々で係合され、もう一方の先端部が切欠き部上面部１２ａに当たり、締結手段１９を締め付けることで、固定金具１３は一時的に固定されている。
【００４６】
以上のように構成された組み込み式加熱調理器について、以下その動作、作用を説明する。
【００４７】
本体をキャビネット２１に固定することを考える。固定金具１３は一時的に固定されているため、いったん締結手段１９を緩める。そうすると、切欠き部上面部１２ｂに当たっていたもう一方の先端部が下方へ落ちるため、先端部Ｂ１６を支点として回動する。そこから締結手段１９を締結していくと、座２０が固定金具１３の下面を押し上げ、回動していく。そして、固定金具１３はキャビネット２１があるところまで、回動し固定される。
【００４８】
以上のように、本実施の形態においては、設置業者が設置時に固定金具１３をわざわざ取り付ける必要なく、締結手段の緩めと締め付けだけで本体を固定することができるため、容易に本体を確実に固定できる施工性の良い機器を提供することができる。
【００４９】
（実施の形態６）
図８は本発明の第６の実施の形態における組み込み式加熱調理器の要部斜視図、図９（ａ）は同組み込み式加熱調理器の組み込み前の要部断面図、図９（ｂ）は同組み込み式加熱調理器の組み込み後の要部断面図である。なお、本実施の形態の基本構成は実施の形態１と同じなので異なる点を中心に説明する。また、実施の形態１と同じ構成には同じ符号を付しその説明は省略する。
【００５０】
図８、９において、切欠き部１２には締結方向の長穴２６を２つ有し、長穴２６には固定金具１３の下方の先端部Ｂ１６が係合されている。締結手段１９により、固定金具１３を押し上げ、もう一方の先端部が切欠き部上面部１２ｂに当たっていることで、固定金具１３は一時的に固定されている。
【００５１】
以上のように構成された組み込み式加熱調理器について、以下その動作、作用を説明する。
【００５２】
本体をキャビネット２１に固定することを考える。固定金具１３は一時的に固定されているため、いったん締結手段１９を緩める。そうすると、係合していた先端部Ｂ１６は、長穴２６に沿って下方へ移動し、切欠き部上面部１２ｂに当たっていたもう一方の先端部も下方へ落ち、一時的な固定が解除される。そこから、締結手段１９を締結していくと、座２０が固定金具１３の下面を押し上げ、上方へ摺動していく。そして、固定金具１３はキャビネット２１があるところまで、摺動し固定される。係合手段は長穴２６からなっているため、切欠き部１２の下から上まで穴をつなげると、固定金具１３の摺動の範囲が増えるために、この固定金具１３一つでキャビネット２１の厚みが薄いものから厚いものまで、固定することができる。具体的に言えば、厚み約５ｍｍから約４５ｍｍに対応できる。なお、通常のキャビネットの厚みは約１０ｍｍから約４２ｍｍである。
【００５３】
以上のように、本実施の形態においては、設置業者が設置時に固定金具１３をわざわざ取り付ける必要なく、締結手段の緩めと締め付けだけで本体を固定することができるため、容易に本体を確実に固定でき、またキャビネットの厚みに幅広く、すなわち、薄いものから厚いものまで対応できるので、施工性に優れ、フレキシブルに対応できる機器を提供することができる。
【００５４】
（実施の形態７）
図１０は本発明の第７の実施の形態における組み込み式加熱調理器の要部斜視図、図１１（ａ）は同組み込み式加熱調理器の組み込み前の要部断面図、図１１（ｂ）は同組み込み式加熱調理器の組み込み後の要部断面図である。なお、本実施の形態の基本構成は実施の形態１と同じなので異なる点を中心に説明する。また、実施の形態１と同じ構成には同じ符号を付しその説明は省略する。
【００５５】
図１０、１１において、切欠き部１２の切欠き部側面部１２ａには係合手段として用いる穴Ａ１５および穴Ｃ２７と先端部Ｂ１６を挿入する穴Ｂ１７および穴Ｄ２８が夫々２ヶ所設けられている。
【００５６】
以上のように構成された組み込み式加熱調理器について、以下その動作、作用を説明する。
【００５７】
本体をキャビネット２１の厚みが厚いものに固定する場合について説明する。現状の位置で固定する際、キャビネット２１の厚みが厚く固定金具１３がかからずに固定できない場合がある。ところが、実施の形態７では穴Ａ１５、穴Ｂ１７の下部に穴Ｃ２７、穴Ｄ２８が設けられているため、固定金具１３を一度外して先端部Ａ１５を穴Ｃ２７に入れれば、現状の位置より下方を支点として回動することができるため、キャビネット２１の厚みが厚いものにも確実に固定することができる。
【００５８】
以上のように、本実施の形態においては、設置業者の固定金具の取り付けや、またねじの緩めもなく、ただ締結手段１９を締め付けるだけで、本体をキャビネット２１に固定することができ、またキャビネット２１の厚みにも幅広く対応できるため、施工性が良く、フレキシブルな機器を提供することができる。
【００５９】
（実施の形態８）
図１２は本発明の第８の実施の形態における組み込み式加熱調理器の裏面図である。なお、本実施の形態の基本構成は実施の形態１と同じなので異なる点を中心に説明する。また、実施の形態１と同じ構成には同じ符号を付しその説明は省略する。
【００６０】
本体を構成する外郭１１において外郭側面Ａ２９、外郭側面Ｂ３０、外郭側面Ｃ３１、外郭側面Ｄ３２があり、少なくとも外郭の対辺つまり、外郭側面Ａ２９と外郭側面Ｃ３０あるいは、外郭側面Ｂ３０と外郭側面３２には切欠き部１２が設けられ、中に固定金具１３がそれぞれに収納されている。
【００６１】
以上のように構成された組み込み式加熱調理器について、以下その動作、作用を説明する。
【００６２】
固定金具１３は少なくとも対辺に一対設けられているため、バランスよく固定され、キャビネット２１に確実に均等に固定される。よって、外観の浮きも防止でき、またキャビネット内へのシール性能も向上できる。なお、４面全てに設けることができれば、よりバランスよく確実に固定することができるし、また一対プラス一面（計３ヶ所）でも、同様の効果が得られる。
【００６３】
以上のように、本実施の形態においては、設置業者の固定金具の取り付けや、またねじの緩めもなく、ただ締結手段１９を締め付けるだけで、本体をキャビネット２１に固定することができ、またキャビネット２１に確実にバランスよく固定することができるので、施工性が良く、また浮きがなくシール性能の良い信頼性の高い機器を提供することができる。
【産業上の利用可能性】
【００６４】
以上のように、本発明にかかる組み込み式加熱調理器は設置業者が締結手段の締め付けだけで本体を固定することができるので、ビルトイン型の組み込み式加熱調理器の用途に適用できる。
【図面の簡単な説明】
【００６５】
【図１】本発明の実施例１における組み込み式加熱調理器の斜視図
【図２】同組み込み式加熱調理器の要部斜視図
【図３】（ａ）同組み込み式加熱調理器の組み込み前の要部断面図（ｂ）同組み込み式加熱調理器の組み込み後の要部断面図
【図４】（ａ）本発明の実施例２における組み込み式加熱調理器の組み込み前の要部断面図（ｂ）同組み込み式加熱調理器の組み込み後の要部断面図固定金具部の断面図
【図５】（ａ）本発明の実施例３における組み込み式加熱調理器の組み込み前の要部断面図（ｂ）同組み込み式加熱調理器の組み込み後の要部断面図
【図６】（ａ）本発明の実施例４における組み込み式加熱調理器の組み込み前の要部断面図（ｂ）同組み込み式加熱調理器の組み込み後の要部断面図
【図７】（ａ）本発明の実施例５における組み込み式加熱調理器の組み込み前の要部断面図（ｂ）同組み込み式加熱調理器の組み込み後の要部断面図
【図８】本発明の実施例６における組み込み式加熱調理器の要部斜視図
【図９】（ａ）同組み込み式加熱調理器の組み込み前の要部断面図（ｂ）同組み込み式加熱調理器の組み込み後の要部断面図
【図１０】本発明の実施例７における組み込み式加熱調理器の要部斜視図
【図１１】（ａ）同組み込み式加熱調理器の組み込み前の要部断面図（ｂ）同組み込み式加熱調理器の組み込み後の要部断面図
【図１２】本発明の実施例８における組み込み式加熱調理器の裏面図
【図１３】従来の組み込み式加熱調理器の裏面斜視図
【図１４】同組み込み式加熱調理器の固定金具部の断面図
【符号の説明】
【００６６】
１１  外郭
１２  切欠き部
１２ａ  切欠き部側面部
１２ｂ  切欠き部上面部
１３  固定金具
１４  先端部Ａ（先端部）
１５  穴Ａ（係合手段）
１６  先端部Ｂ（先端部）
１７  穴Ｂ（穴）
１９  締結手段
２１  キャビネット（組み込み体）
２２  上面
２３  下面
２４  側面
２５  弾性体
２６  長穴
２７  穴Ｃ（係合手段）
２８  穴Ｄ（穴）
【図１】
2005226854.tif 000003
【図２】
2005226854.tif 000004
【図３】
2005226854.tif 000005
【図４】
2005226854.tif 000006
【図５】
2005226854.tif 000007
【図６】
2005226854.tif 000008
【図７】
2005226854.tif 000009
【図８】
2005226854.tif 000010
【図９】
2005226854.tif 000011
【図１０】
2005226854.tif 000012
【図１１】
2005226854.tif 000013
【図１２】
2005226854.tif 000014
【図１３】
2005226854.tif 000015
【図１４】
2005226854.tif 000016